(57)【要約】      （修正有）【課題】広い範囲を照らすことができると共に、照明部の向きを変えなくても作業部位を照らすことができ、且つ作業効率を高めることのできる上衣を提供する。【解決手段】上衣１の前部１０に照明部２を具備し、照明部２は、照射方向を前方として配置された複数の発光体２０を備えた。【選択図】図１
2015067906.tif 000002
【特許請求の範囲】
【請求項１】
上衣の前部に照明部を具備し、前記照明部は、照射方向を前方として配置された複数の発光体を備えている上衣。
【請求項２】
前記発光体が、前記前部の上下方向に沿うように配置されている請求項１記載の上衣。
【請求項３】
前記発光体が、前記前部に対して着脱自在に取付けられている請求項１又は２記載の上衣。
【請求項４】
前記上衣の前部及び／又は後部に点滅部を更に具備し、前記点滅部は、複数の点滅発光体を備えている請求項１乃至３いずれか１項記載の上衣。
【請求項５】
前記発光体を点灯及び消灯させるスイッチ部と、前記点滅発光体を点滅及び消灯させるスイッチ部とが夫々備えられている請求項４記載の上衣。
【発明の詳細な説明】
【技術分野】
【０００１】
本発明は、照明部を具備する上衣に関する。
【背景技術】
【０００２】
夜間において作業部位を照らす照明部を具備した上衣は、下記特許文献１に記載されているように、上衣の前装部表面に、電源により点灯する文字読み取り用の照明部を設けると共に、上衣の全体に、電源により点滅する複数の点滅部を設け、この照明部は、照明光を下方に向けて照射し得る状態に設けると共に、照明光の向きを位置決め変更可能とする位置決め手段を介して設けたものが知られている。
【先行技術文献】
【特許文献】
【０００３】
【特許文献１】特開２００１−８９９０９号公報
【発明の概要】
【発明が解決しようとする課題】
【０００４】
特許文献１の従来技術によると、照明部によって作業部位を照らすことができ、これによって、夜間において作業部位を視覚することができ、しかも、点滅部の点滅によって、上衣を着用した作業者の存在を示すことができる。
【０００５】
しかしながら、この特許文献１の従来技術では、照明部が一箇所であるため、交通取り締まりのような書類を照らす程度であればよいが、工事現場のように、広い範囲に照射する必要がある場合には、照明範囲が狭いと共に、照明光が不足するという問題があり、しかも、また、作業部位に対応して、その都度照明部の向きを変えなければならないという問題があった。
【０００６】
本発明は、このような問題に対処することを課題の一例とするものである。すなわち、広い範囲に照射できること、照明部の向きを変えなくても作業部位を照らすことができること、これによって、作業効率を高めることができること、等が本発明の目的である。
【課題を解決するための手段】
【０００７】
このような目的を達成するために、本発明による上衣は、以下の構成を少なくとも具備するものである。
【０００８】
上衣の前部に照明部を具備し、前記照明部は、照射方向を前方として配置された複数の発光体を備えている上衣である。
【図面の簡単な説明】
【０００９】
【図１】本発明に係る第一実施形態の上衣を示す正面図である。
【図２】図１の背面図である。
【図３】発光体の取付け形態を示す要部拡大側面図である。
【図４】発光体の他の取付け形態を示す要部拡大側面図である。
【図５】配線部の取付け形態を示す要部拡大側面図である。
【図６】配線部の他の取付け形態を一部切欠して示す要部拡大側面図である。
【図７】本発明に係る第二実施形態の上衣を示す正面図である。
【図８】図７の背面図である。
【発明を実施するための形態】
【００１０】
前記発光体は、前記前部の上下方向に沿うように配置されていることが好ましい。
【００１１】
また、前記発光体が、前記前部に対して着脱自在に取付けられていることが好ましい。
【００１２】
また、前記上衣の前部及び／又は後部に点滅部を更に具備し、前記点滅部は、照射方向を前方として配置された複数の点滅発光体を備えたものであることが好ましい。
【００１３】
また、前記発光体を点灯及び消灯させるスイッチ部と、前記点滅発光体を点灯及び消灯させるスイッチ部とを夫々備えることが好ましい。
【００１４】
本発明でいう上衣の前部とは、上衣を着用する作業者の胸側であり、上衣の後部とは、作業者の背側である。
【００１５】
また、本発明でいう前方とは、上衣を着用する作業者の胸が向く方向である。
【００１６】
また、本発明でいう前部の上下方向とは、作業者の肩から腰にわたる方向である。
【００１７】
以下、本発明に係る実施形態を図面に基づいて説明する。図１〜図６は、本発明に係る第一実施形態の上衣１を示し、図７及び図８は、本発明に係る第二実施形態の上衣１’を示す。尚、以下で説明する各実施形態は、本発明を限定するものではない。
【００１８】
上衣１は、工事現場の作業員、警察官、警備員等が作業時に着用する前開きのチョッキ型のものであり、前部１０には、照明部２が配置されている。
【００１９】
上衣１の前部１０は、上衣１の腰部１２から肩部１３にわたる帯状に形成された左帯部１０Ｌと右帯部１０Ｒから構成されている。
【００２０】
上衣１の後部１１は、図２に示すように、上衣１の腰部１２から肩部１３にわたり作業者Ａの背中Ａ１全域に対応する大きさに形成されており、前部１０とは、肩部１３で一体となるようにされている。
【００２１】
上衣１の腰部１２は、前部１０と後部１１をつなぐと共に、作業者Ａの腰Ａ２を囲むように形成されている。
【００２２】
この腰部１２は、上衣１の前方で分れる左右端部にわたり掛止部１２Ａが設けられており、この掛止部１２Ａの掛合によって着用状態を保持し、掛止部１２Ａの掛合解除によって、上衣１の前方を左右に開くことができ、これによって、上衣１を脱いだり着用したりできるようになっている。
【００２３】
腰部１２の左右端部付近には、左帯部１０Ｌと右帯部１０Ｒとが、夫々肩部１３から腰部１２の左右端部付近に連続するように設けられている。
【００２４】
前部１０、後部１１、腰部１２には、光を反射する帯状の夜光反射部４が配置されており、この夜光反射部４の発光及び反射によって、夜間における作業者Ａの存在を示すことができる。
【００２５】
照明部２は、発光ダイオード（以下、ＬＥＤという）２０Ａを用いた多数（図面上８個）の発光体２０と、オン・オフ操作によって発光体２０を点灯・消灯するスイッチ部２１と、発光体２０の電源となる電源部２２と、発光体２０からスイッチ部２１を介して電源部２２に配線された配線部２３とを備えている。
【００２６】
発光体２０は、ＬＥＤ２０Ａと、ＬＥＤ２０Ａを前端に保持すると共に、ＬＥＤ回路（図示せず）を内蔵した円盤状のケーシング２０Ｂと、ケーシング２０Ｂの前方にＬＥＤ２０Ａをカバーするように取付けた円盤状のレンズ部２０Ｃとを備えている。
【００２７】
このような発光体２０は、左帯部１０Ｌと右帯部１０Ｒとの表面の上下方向に沿って、上部（肩部１３側）と下部（腰部１２側）及びこの上部と下部の中間部に配置し、且つ発光体２０間の間隔を同間隔として、夫々４個ずつ取付けられている。
【００２８】
発光体２０の個数は、例示した左右各４個の８個に限らず、８個を越える個数、８個未満の個数としてもよい。
【００２９】
発光体２０の配置位置は、少なくとも、上部（肩部１３側）と下部（腰部１２側）及びこの上部と下部の中間部であることが好ましく、したがって、発光体２０の個数は、少なくとも、左右各３個であればよい。
【００３０】
このように、発光体２０を上下方向に沿って並べるように配置したことによって、作業者Ａの前方の広い範囲に光を照射することができると共に、上中下のいずれかの発光体２０が作業者Ａの腕等によって光が遮られても、残りの発光体２０が前方を照射することで視界を確保することができる。
【００３１】
発光体２０は、図３に示すように、ケーシング２０Ｂの後面２１０を左帯部１０Ｌと右帯部１０Ｒとの表面に対して、接着剤や両面テープ等の取付け手段２０Ｄを用いて接着することによって取付けられている。
【００３２】
発光体２０の取付け形態は、前述の接着によるものに限らず、面状ファスナを用いて着脱自在に取付けた形態としてもよい（図４参照）。
【００３３】
図４で示す発光体２０の取付け形態は、左帯部１０Ｌと右帯部１０Ｒの表面に、上下方向に沿って帯状の雌側ファスナ２０Ｅを固着し、ケーシング２０Ｂの後面２１０に雌側ファスナ２０Ｅに係合する雄側ファスナ２０Ｆを固着し、雌側ファスナ２０Ｅに雄側ファスナ２０Ｆを係合させることで取付けるようにしたものである。
【００３４】
このような発光体２０の取付け形態によると、発光体２０を左帯部１０Ｌと右帯部１０Ｒに対して、着脱自在とすることができ、しかも、雌側ファスナ２０Ｅの上下方向の長さの範囲において、発光体２０の取付け位置を任意に変更することができる。
【００３５】
ＬＥＤ２０Ａを保持するケーシング２０Ｂの保持面２２０と後面２１０とは、互いに平行となる平坦面として形成されており、このような保持面２２０に、保持面２２０に対して照射方向を直交する方向としてＬＥＤ２０Ａが保持されている。
【００３６】
そして、このようなケーシング２０Ｂの後面２１０を左帯部１０Ｌと右帯部１０Ｒとの表面に接着することによって、ＬＥＤ２０Ａが前方を照射する状態にすることができる。
【００３７】
レンズ部２０Ｃは、ＬＥＤ２０Ａの光を拡散するものであり、このレンズ部２０Ｃによって、前方を広い範囲で照射できるようになっている。
【００３８】
このような照明部２によると、前方を照射することができると共に、作業部位を変更する際には、作業者Ａの胸Ａ４を作業部位に向けることで、この作業部位に光を照射することができ、胸Ａ４を向けた方向に顔Ａ３を向けることで、光が照射された作業部位を視覚しながら作業をすることができる。
【００３９】
また、照明部２は、８個（複数）の発光体２０を備えているので、この全ての発光体２０の光を作業部位に作用させることができ、これによって、作業部位を明るくすることができると共に、広い範囲を照射することができる。
【００４０】
スイッチ部２１は、配線部２３に配置されており、このスイッチ部２１のオン・オフ操作によって、照明部２の点灯・消灯ができるようになっている。
【００４１】
電源部２２は、交換式の乾電池（図示せず）が用いられており、この乾電池が電源回路（図示せず）を内蔵したケーシング２２Ａに挿入されている。
【００４２】
ケーシング２２Ａは、上衣１の腰部１２付近の裏側に設けられたポケット１４に出し入れ自在に挿入されており、取り出すことで電池交換を行うことができるようにされている。
【００４３】
スイッチ部２１は、前述の電源回路と接続されるように、ケーシング２２Ａに設けてもよい。
【００４４】
電源部２２は、交換式の乾電池を用いたものに限らず、充電式の電池を内蔵し、ケーシング２２Ａごと取り外して充電するものとしてもよい。
【００４５】
配線部２３は、上衣１の表側又は裏側のいずれに配置してもよく、上衣１の表側に配置する場合、図５に示すように、配線部２３に、後面２１０を通って上下に延びる雄側ファスナ２０Ｆを配して、発光体２０と雄側ファスナ２０Ｆを、左帯部１０Ｌと右帯部１０Ｒの上下に沿って設けられた雌側ファスナ２０Ｅに係合させることで、発光体２０を取付けることができると共に、配線部２３を弛み等がないように取付けることができるようにすることが好ましい。
【００４６】
また、配線部２３を上衣１に裏側に配置する場合、図６に示すように、左帯部１０Ｌと右帯部１０Ｒに配線部２３が挿通される挿通孔１５を設け、配線部２３を裏側から表側に向かって挿通孔１５に挿通させることによって、左帯部１０Ｌと右帯部１０Ｒの表面に発光体２０を取付けた状態で配線部２３を上衣１の裏側に配線することができる。
【００４７】
配線部２３を上衣１の裏側に配置した形態の場合、図６に示すように、発光体２０の取付け位置の付近に挿通孔１５を設けることによって、上衣１の表面での配線部２３の露出を最小限にすることができる。
【００４８】
図５及び図６に示す配線部２３の配線形態によると、図５の配線形態では、配線部２３の全域を左帯部１０Ｌと右帯部１０Ｒに保持することで、配線部２３と左帯部１０Ｌと右帯部１０Ｒとの隙間や、配線部２３の垂れさがり等を防止できるので、作業中における配線部２３の引っ掛かりによる配線部の断線等を防止することができる。
【００４９】
図６の配線形態では、配線部２３を上衣１の裏側に配置し、配線部２３の上衣１の表面での露出が最小限にされているので、作業中における配線部２３の引っ掛かりによる配線部２３の断線等を防止することができる。
【００５０】
以上の構成とする上衣１によると、上衣１を作業者Ａが着用した状態で、照明部２を点灯することで、８個の発光体２０によって、作業者Ａの前方の作業部位を広い範囲で照射することができると共に、作業部位を明るくすることができ、且つ作業者Ａの胸Ａ４が作業部位に対して正対することで、照明部２の照射方向を人為的な操作によって変更することなく確実に作業部位を照射することができる。
【００５１】
次に、図７及び図８に基づいて、本発明に係る第二実施形態の上衣１’を説明する。尚、第一実施形態と重複する部位についての説明は、同符号を付すことにより省略する。
【００５２】
上衣１’には、前部１０及び後部１１に点滅部３が配置されており、この点滅部３の点滅によって、夜光反射部４とともに、作業者Ａの存在を示すことができるようにされている。
【００５３】
点滅部３は、左帯部１０Ｌ、右帯部１０Ｒ、後部１１に、その上下方向に沿って配置された複数の点滅発光体３０と、オン・オフ操作によって点滅発光体３０を点滅・消灯するスイッチ部３１と、点滅発光体３０の電源となる電源部２２と、点滅発光体３０からスイッチ部３１を介して電源部２２に配線された配線部３２とを備えている。
【００５４】
点滅発光体３０の電源は、発光体２０の電源となる電源部２２を共用しており、この電源部２２からの電力によって点滅するようにされている。
【００５５】
点滅発光体３０の上衣１に対する取付けは、発光体２０の取付けと同様に、接着剤や両面テープ、或いは面状ファスナ等の取付け手段２０Ｄによる接着、係合によって取付けることができる。
【００５６】
スイッチ部３１は、配線部２３と独立して配線された配線部３２に配置されており、スイッチ部３１のオン・オフ操作によって点滅発光体３０のみを点滅・消灯させることができるようにされている。
【００５７】
すなわち、スイッチ部２１とスイッチ部３１の個別のオン・オフ操作によって、照明部２の点灯・消灯及び点滅部３の点滅・消灯を夫々独立して行うことができるので、照明部２による照射動作と点滅部３による点滅動作を個別に行うことができると共に、両方同時に行うこともできる。
【００５８】
スイッチ部３１は、スイッチ部２１と同様に、前述の電源回路と接続されるように、ケーシング２２Ａに設けてもよい。
【００５９】
したがって、上衣１’は、上衣１と同じ作用効果を奏する上に、照明部２によって作業部位を照射して作業する際に、点滅部３を点滅させることで、作業者Ａの背中Ａ１側からこの作業者Ａの存在を示すことができるため、高い安全性を備えることができる。
【００６０】
また、夜間の交通整理等をする場合には、点滅部３のみを点滅させることで、照明部２の照射を自動車の運転手や歩行者に作用させることがないので、運転手や歩行者の視界を妨げることなく、作業者Ａの存在を示すことができる。
【００６１】
また、昼間においても、暗い場所での作業を行う場合に、照明部２を点灯することで、作業部位を明るくすることができる。
【符号の説明】
【００６２】
１：上衣
１０：前部
１１：後部
２：照明部
２０：発光体
３：点滅部
３０：点滅発光体
２１：スイッチ部
３１：スイッチ部
【図１】
2015067906.tif 000003
【図２】
2015067906.tif 000004
【図３】
2015067906.tif 000005
【図４】
2015067906.tif 000006
【図５】
2015067906.tif 000007
【図６】
2015067906.tif 000008
【図７】
2015067906.tif 000009
【図８】
2015067906.tif 000010